(57)【要約】【課題】タッチパネルディスプレイの防水性の向上を図る。【解決手段】撮像部が設けられた装置本体２と、装置本体２に設けられた表示部３とを備えている。そして、表示部３は、表示パネル５０上に感圧式のタッチパネル６０が設けられている。また、タッチパネル６０は、第１の接着剤６６によって化粧部材４０の裏面に固定されるとともに該タッチパネル６０の周囲が封止され、装置本体２を構成するケースの表示パネル５０が取り付けられた周囲の取付部３４に第２の接着剤６８によって固定されている。【選択図】図７
2011171924.tif 000002
【特許請求の範囲】
【請求項１】
レンズ部が設けられた装置本体と、
上記装置本体に設けられた表示部とを備え、
上記表示部は、表示パネル上に感圧式のタッチパネルが設けられ、
上記タッチパネルは、第１の接着剤によって上記装置本体を構成する化粧部材の裏面に固定されるとともに該タッチパネルの周囲が封止され、
上記装置本体を構成するケースの上記表示パネルが取り付けられた周囲の取付部に第２の接着剤によって固定されている撮像装置。
【請求項２】
上記ケースは、板金がモールドでインサート成形されてなり、該板金の周囲に設けられたモールド部の上記取付部に上記タッチパネルが上記第２の接着剤で固定され、該板金に上記表示パネルが取り付けられている請求項１記載の撮像装置。
【請求項３】
上記ケースのモールド部には、上記タッチパネルの化粧部材で覆われる領域であって上記表示部の周囲に排水用凹溝が形成され、
上記排水用凹溝は、上記ケースの上面の操作部の間隙とスピーカ部の間隙と連通されている請求項２記載の撮像装置。
【請求項４】
上記ケースの下面には、上記排水用凹溝と連通する排水口が形成されている請求項３記載の撮像装置。
【請求項５】
上記化粧部材は、金属部材で形成され、導電ゴムを介して、上記装置本体のグランド経路に接続されている上記板金と電気的に接続されている請求項２記載の撮像装置。
【請求項６】
上記装置本体は、一対のケースを突き合わせて構成され、
一方のケースには、第１の貫通孔が形成され、
他方のケースには、第２の貫通孔が形成され、
上記一対のケースは、上記第１の貫通孔及び上記第２の貫通孔を一致させた状態で結合させることで、ストラップ取付孔が形成されている請求項１乃至請求項５のうちいずれか１記載の撮像装置。
【請求項７】
上記化粧部材は、上記タッチパネルの表示操作領域を外部に臨ませる窓部の周囲のフレーム部の裏面に、上記第１の接着剤によって上記タッチパネルの周囲が固定され、該第１の接着剤を覆っている請求項１乃至請求項５のうちいずれか１記載の撮像装置。
【発明の詳細な説明】
【技術分野】
【０００１】
本発明は、表示部に設けられる感圧式のタッチパネルの防水機能の向上を図った撮像装置に関する。
【背景技術】
【０００２】
ディジタルスチルカメラには、撮影画像表示用の表示パネルの表示面上にタッチパネルが設けられたタッチパネルディスプレイを有するものがある。タッチパネルディスプレイは、撮影画像を表示する画像表示部として用いられるとともに、操作ボタン等が表示される操作パネルとしても用いられる。このようなタッチパネルディスプレイを用いることで、ディジタルスチルカメラは、筐体に設ける操作スイッチの数を減らし、筐体の小型化を図りつつ、画像表示部の表示面の大きさを確保することができる。
【０００３】
タッチパネルディスプレイを構成するタッチパネルには、例えば、フィルム−ガラスタッチパネル等の抵抗膜感圧式（以下、単に、感圧式ともいう。）のタッチパネルがある。感圧式のタッチパネルは、例えば、ガラス基板上に、相対向する面にそれぞれ透明電極が設けられた２枚のフィルム基板が設けられ、２枚のフィルム基板間にスペーサが介在されている。更に、感圧式のタッチパネルは、これらのフィルム基板のうちガラス板とは反対側のフィルム基板上に、図９（Ａ）に示すように、特定方向に偏光した光だけに限って通過させ、外部からの外光反射を防止する偏光板１００が設けられている。偏光板１００は、図１０（Ａ）に示すように、色素又はヨウ素を含浸させたＰＶＡ（Poly Vinyl Alcohol：ポリビニールアルコール）を延伸させて形成した偏光子１００ａを、偏光子１００ａを保護するＴＡＣ（Tri Acetyl Cellulose：トリアセチルセルロース）フィルム１００ｂで狭持し、接着剤で接着させて一体化したものである。
【０００４】
更に、感圧式のタッチパネルは、図９（Ａ）に示すように、この偏光板１００上に、反射を防止するＡＲ（Anti Reflection：アンチリフレクション）フィルム１０１が光学糊１０２によって接着されている。ＡＲフィルム１０１は、ＰＥＴ（Polyethylene Terephthalate：ポリエチレンテレフタレート）フィルムにＳｉＯ２やＴｉＯ２等の無機誘電体を多層コーティングして複数膜を形成し、この複数膜の干渉効果によって表面から入射した光の反射を低減させる。
【０００５】
以上のような感圧式のタッチパネルは、一方のフィルム基板が手指や専用のタッチペン等で押圧されると、当該一方のフィルム基板の透明電極が他方のフィルム基板の透明電極に接触し、押圧された座標を検出して操作信号を生成する。そして、感圧式のタッチパネルは、生成した操作信号を、フレキシブル基板を介してカメラ本体に内蔵された図示しないメイン基板の制御部へ出力する。
【０００６】
ところで、ディジタルスチルカメラは、プール、海又はスキー場等で用いられることもあり、防水化の要請が高まっている。従来、上述したような防水機能を必要とする場所では、ディジタルスチルカメラを防水ケースに収納して用いられている。しかしながら、ディジタルスチルカメラを防水ケースに収納するのは、手間がかかって面倒であり、更に、嵩張る等の問題がある。
【０００７】
また、ディジタルスチルカメラは、偏光板１００の表面が鹸化処理により濡れ性が高くなっている。したがって、ディジタルスチルカメラは、上述したような場所で用いることで筺体内に水等が浸入すると、図９（Ｂ）に示すように、偏光板１００と光学糊１０２との界面に水１０３が浸入して剥離してしまうという問題がある。更に、ディジタルスチルカメラは、偏光板１００のＰＶＡが水溶性であり、更に、ＴＡＣフィルム１００ｂの鹸化処理により濡れ性が高くなっている。したがって、ディジタルスチルカメラは、筺体内に水等が浸入すると、図１０（Ｂ）に示すように、偏光子１００ａとＴＡＣフィルム１００ｂとの界面に水が浸入し、偏光板１００の偏光子１００ａが変形してしまう。
【０００８】
そこで、特許文献１のタッチパネルを有する情報処理装置では、タッチパネル上に設けられた保護シートで前部筺体の開口面を覆うことで、防水性を確保するようにしている。しかしながら、特許文献１のタッチパネルを有する情報処理装置は、タッチパネル上に防水性を確保するための保護シートが必要であり、部品点数が多くなる。この情報処理装置は、前部筐体と保護シートと支持部材とが完全に密着しつつ、可撓性を持っていないと防水性を保てない虞がある。また、前記３部品が剛体の場合は、外部からの負荷により剥れやすくなる。
【０００９】
また、特許文献２のタッチパネルを有する携帯電子機器は、電子機器本体の気密性を確保するために、コの字断面の緩衝体を用いることでタッチパネルと密着しつつ、本体のフレームと密着するようにしている。しかしながら、特許文献２のタッチパネルを有する携帯電子機器では、緩衝体に更に液晶ディスプレイパネルと共に嵌合させるものであり、構成が複雑になっている。特に防水性を確保するには、複雑な構造では水漏れの蓋然性が高い。
【００１０】
更に、特許文献３のタッチパネルを有する装置では、液晶パネルやタッチパネルなどの内部の構成部材と、外装部品の間に可撓性の部材を挟み込んで、防水性を確保するようにしている。しかしながら、特許文献３のタッチパネルを有する装置では、内部の構成部材と外装部品との間で隙間が大きくなった場合を想定すると、前記可撓性の部材の干渉を増やす必要がある。このため、外装部品及び内部の構成部材には、常に負荷がかかり破損の原因となる。また、可撓性の部材の干渉量が少なくなった場合には、気密性が確保できなくなる虞がある。
【先行技術文献】
【特許文献】
【００１１】
【特許文献１】特許第３８５９４６０号
【特許文献２】特許第３７６９４８０号
【特許文献３】特許第４０９３２５２号
【発明の概要】
【発明が解決しようとする課題】
【００１２】
本発明は、このような従来の事情に鑑みて提案されたものであり、表示部に設けられる感圧式のタッチパネルの防水機能の向上を図った撮像装置を提供することを目的とする。
【課題を解決するための手段】
【００１３】
上述した課題を解決するために本発明に係る撮像装置は、レンズ部が設けられた装置本体と、装置本体に設けられた表示部とを備えている。そして、表示部は、表示パネル上に感圧式のタッチパネルが設けられている。また、タッチパネルは、第１の接着剤によって装置本体を構成する化粧部材の裏面に固定されるとともにタッチパネルの周囲が封止され、装置本体を構成するケースの表示パネルが取り付けられた周囲の取付部に第２の接着剤によって固定されている。
【発明の効果】
【００１４】
本発明によれば、第１の接着剤によって、感圧式のタッチパネルが装置本体を構成する化粧部材の裏面に固定されるとともに、感圧式のタッチパネルの周囲が封止され、装置本体を構成するケースの表示パネルが取り付けられた周囲の取付部に第２の接着剤によって固定されているので、表示部に設けられる感圧式のタッチパネルの防水機能の向上を図ることができる。
【図面の簡単な説明】
【００１５】
【図１】本発明が適用されたディジタルスチルカメラのレンズカバーが開状態のときを示した前方斜視図である。
【図２】本発明が適用されたディジタルスチルカメラのレンズカバーが閉状態のときを示した前方斜視図である。
【図３】本発明が適用されたディジタルスチルカメラを示した後方斜視図である。
【図４】本発明が適用されたディジタルスチルカメラを示した平面図である。
【図５】本発明が適用されたディジタルスチルカメラを示した底面図である。
【図６】本体装置を示した分解斜視図である。
【図７】リアケース及び化粧部材を示した断面図である。
【図８】化粧部材を外した状態でのリアケースを示した背面図である。
【図９】（Ａ）は、偏光板及びＡＲフィルムを示した断面図である。（Ｂ）は、偏光板と光学糊との界面に水が浸入してＡＲフィルムが剥離した状態を示した断面図である。
【図１０】（Ａ）は、色素又はヨウ素を含浸させたＰＶＡを延伸させて形成した偏光子を、偏光子を保護するＴＡＣフィルムで狭持し、接着剤で接着させて一体化させた偏光板を示した断面図である。（Ｂ）は、偏光子とＴＡＣフィルムとの界面に水が浸入し、偏光板の偏光子が変形した状態を示した断面図である。
【図１１】第１の水抜き経路を示した断面図である。
【図１２】リアケースに設けられた再生ボタンを収納する再生ボタン収納凹部を示した断面図である。
【図１３】第２の水抜き経路を示した断面図である。
【図１４】リアケースに設けられたスピーカ用凹部を示した断面図である。
【図１５】排水口を示した断面図である。
【図１６】開口収納凹部と第２の端子開口凹部との仕切り壁を示した断面図である。
【図１７】（Ａ）は、端子蓋の閉状態のときを示した拡大斜視図であり、（Ｂ）は、端子蓋の開状態のときを示した拡大斜視図である。
【図１８】接地端子を示した断面図である。
【図１９】ストラップ取付孔を示した断面図である。
【発明を実施するための形態】
【００１６】
以下、本発明が適用された撮像装置をディジタルスチルカメラ１に適用した場合を例に、図面を参照しながら詳細に説明する。本発明が適用されたディジタルスチルカメラ１は、例えば、プール、海又はスキー場等で水がかかっても使用することができるとともに、プールや海等で、防水ケースに収納することなく、水中撮影を行うことを可能にしたものである。以下、本発明が適用されたディジタルスチルカメラ１について、下記の順番で説明を行う。
１．ディジタルスチルカメラの構成の説明
（１−１）全体構成の説明
（１−２）タッチパネルの取付の説明
（１−３）排水用凹溝の構成の説明
（１−４）接地端子の構成の説明
（１−５）ストラップ取付孔の構成の説明
２．本発明が適用されたディジタルスチルカメラの作用効果
３．本発明が適用されたディジタルスチルカメラの変形例
【００１７】
＜１．ディジタルスチルカメラの構成＞
（１−１）全体構成の説明
図１乃至図６に示すように、本発明が適用されたディジタルスチルカメラ１は、レンズ部等が設けられ、薄型化及び小型化された略矩形の装置本体２と、この装置本体２に設けられたタッチパネルディスプレイ３とを備える。
【００１８】
装置本体２の前面部２ａの上部には、図１に示すように、レンズ部４と、このレンズ部４の近傍で横並びに配設されたフラッシュとして機能する発光部５と、レンズ部４の撮像レンズ６から入力される光に基づいて被写体の映像信号を生成する図示しない撮像部とが設けられている。また、装置本体２の前面部２ａの下部には、撮像レンズ６を開閉するレンズカバー７が取り付けられている。
【００１９】
ディジタルスチルカメラ１の撮像部は、図示しないが、装置本体２の内部に収納されている。撮像部は、例えば、ＣＣＤ（Charge Coupled Device：電荷結合素子）イメージセンサやＣＭＯＳ（Complementary Metal-Oxide Semiconductor：相補性金属酸化膜半導体）イメージセンサ等であり、レンズ部４の光軸の最終段に配置されている。
【００２０】
レンズカバー７は、図１及び図２に示すように、装置本体２の前面の少なくとも半分以上を覆う大きさ又は発光部５と撮像レンズ６とを覆うことができる大きさの平板によって形成されている。レンズカバー７は、装置本体２に対して上下方向（図１及び図２中の矢印Ａ方向及びＢ方向）にスライド可能に取り付けられており、装置本体２の前面部２ａの上部に配置された発光部５と撮像レンズ６とを開閉する。すなわち、レンズカバー７は、非使用時において、装置本体２に対して図１及び図２中の矢印Ａ方向にスライドされて、発光部５と撮像レンズ６とを閉塞している。また、レンズカバー７は、使用時において、装置本体２に対して図１及び図２中の矢印Ｂ方向にスライドされて、発光部５と撮像レンズ６とを開放し、撮像可能な状態にする。
【００２１】
装置本体２の上面部２ｂには、図３及び図４に示すように、電源のオン又はオフ操作を行う電源ボタン８と、撮像操作を行う撮影ボタン９と、広角側又は望遠側にズーム操作を行うズームレバー１０とが設けられている。また、装置本体２の上面部２ｂには、撮像部によって撮影された撮影画像の再生表示操作を行う再生ボタン１１が設けられている。更に、装置本体２の上面部２ｂには、動画を再生表示するときに併せて音声を放音するスピーカ１２が設けられている。
【００２２】
装置本体２の背面部２ｃには、図３に示すように、撮影画像を表示する画像表示部となるとともに、操作ボタン等が表示される操作パネルとしても用いられるタッチパネルディスプレイ３が設けられている。
【００２３】
装置本体２の底面部２ｅには、図２及び図５に示すように、一次電池又は二次電池が収納される電池収納部の挿脱口となる電池開口部１３ａを開閉する電池蓋部１３ｂが設けられている。また、装置本体２の底面部２ｅには、外部機器と電気的な接続を行う装置本体２に内蔵された端子部を外部に露出させる端子開口部１４ａを開閉する端子蓋部１４ｂが設けられている。更に、装置本体２の底面部２ｅには、三脚を取り付けるためのネジ孔が形成された三脚取付部１５が設けられている。
【００２４】
装置本体２の左側面部２ｄには、図１及び図２に示すように、ストラップを取り付けるためのストラップ取付孔１６が設けられている。
【００２５】
このような装置本体２は、図６に示すように、一対のフロントケース２０とリアケース３０とがゴムパッキン１７を介在させて突き合わされて構成されている。ゴムパッキン１７は、例えば、Ｏリングであり、フロントケース２０とリアケース３０とが突き合わされたときに、フロントケース２０とリアケース３０との突き合わせ面から水等が浸入することを防止する。更に、リアケース３０のフロントケース２０とは反対側の背面側には、装置本体２の背面部２ｃを構成する化粧部材４０が取り付けられている。すなわち、装置本体２は、フロントケース２０、リアケース３０及び化粧部材４０から構成されている。
【００２６】
フロントケース２０は、図１に示すように、箱型形状に形成され、装置本体２の前面部２ａを構成する。具体的に、フロントケース２０は、横長矩形に形成され装置本体２の前面部２ａを構成する主面部２１と、主面部２１の外周縁に沿って主面部２１に対してリアケース３０側に略直角に設けられた側面部２２とを有する。側面部２２は、装置本体２の側面を構成している。このようなフロントケース２０は、エンジニアリングプラスチック等の樹脂材料を用いて形成されている。
【００２７】
リアケース３０は、図６に示すように、フロントケース２０と略同じ大きさの箱型形状に形成されている。リアケース３０は、図７に示すように、ステンレス鋼等の合金を用いて横長矩形状に形成された板金３０ａの外周縁に、エンジニアリングプラスチック等の樹脂材料でインサート成形してモールド部３０ｂを設けたものである。具体的に、リアケース３０は、主面部となる板金３０ａの外周縁に板金３０ａに対してフロントケース２０側に向けて略直角に設けられた側面部となるモールド部３０ｂを有する。モールド部３０ｂは、フロントケース２０の側面部２２とともに装置本体２の側面部を構成する。
【００２８】
リアケース３０の板金３０ａの背面側には、モールド部３０ｂから外部に露出した第１の固定部３３の周囲に、第１の固定部３３より背面側に一段高くなっており、更に、主面部３１と略平行な平面となっている取付部３４が設けられている。第１の固定部３３は、後述する表示パネル５０と略同じ大きさの横長矩形状に形成され、表示パネル５０が取り付けられる。取付部３４は、表示パネル５０の厚さよりやや高くなるように背面側に突出して設けられ、タッチパネル６０が取り付けられる。
【００２９】
化粧部材４０は、図３及び図６に示すように、リアケース３０の背面と略同じ大きさの横長矩形平板状のフレーム部４０ａと、フレーム部４０ａに略矩形状に開口された窓部４０ｂとを有する。このような化粧部材４０は、金属部材で形成されている。化粧部材４０は、図７に示すように、裏面側にタッチパネルディスプレイ３が設けられ、窓部４０ｂからタッチパネルディスプレイ３を外部に臨ませている。
【００３０】
タッチパネルディスプレイ３は、図７に示すように、リアケース３０の背面側で、リアケース３０と化粧部材４０との間に設けられている。タッチパネルディスプレイ３は、撮影画像を表示する画像表示部となるとともに、撮影や再生に関連するディジタルスチルカメラ１の各種の動作や設定を行う操作ボタン等が表示される操作パネルとしても用いられている。具体的に、タッチパネルディスプレイ３は、表示パネル５０とタッチパネル６０とを有し、表示パネル５０上にタッチパネル６０が設けられている。
【００３１】
表示パネル５０は、液晶パネルとバックライトとが結合されて形成されている。液晶パネルとしては、例えば、ＬＣＤ（Liquid Crystal Display：液晶ディスプレイ）が用いられている。液晶パネルは、例えば、横長矩形の平板状をなしており、上偏光板、上ガラス板、液晶層、下ガラス板、下偏光板が積層され、ベゼルによって一体に支持されている。液晶パネルは、上下のガラス板に配設された電極に電圧をかけることによって液晶分子の向きを変え、光の透過率を増幅させて像を表示する。なお、タッチパネルディスプレイ３は、ＬＣＤに限定されるものではなく、有機ＥＬ（Electroluminescence）パネル、その他の平面モニタを用いることもできる。この液晶パネルの表示面側には、タッチパネル６０が配設され、背面側にはバックライトが配設されている。
【００３２】
バックライトとしては、例えば、ＬＥＤ（Light Emitting Diode：発光ダイオード）が用いられている。バックライトは、横長矩形の平板状をなしており、液晶パネルの背面に配置されている光源である。バックライトは、液晶パネルの背面から光を照らすことにより、液晶パネルに表示された像を視認可能とする。なお、バックライトは、ＬＥＤに限定されるものではなく、ＥＬ（Electroluminescence：電界発光ランプ）、ＣＦＬ（Cathode Fluorescent Lamp：陰極蛍光ランプ）等を用いることもできる。また、バックライトの液晶パネルと反対側には反射シートが配設されている。
【００３３】
以上のような表示パネル５０は、図７に示すように、リアケース３０を構成する板金３０ａが露出した第１の固定部３３上に配設されている。
【００３４】
タッチパネル６０は、図７に示すように、例えば、フィルム−ガラスタッチパネル等の抵抗膜感圧式（以下、単に、感圧式ともいう。）のタッチパネルが用いられている。感圧式以外のタッチパネル、例えば静電容量式のタッチパネルでは、プール、海又はスキー場において、タッチパネルの表面に水が付くと、この水を検出してしまう。ましてや、水中撮影においては、使用することができない。したがって、本願発明には、感圧式のタッチパネルが適している。感圧式のタッチパネル６０は、例えば、ガラス板６１上に、相対向する面にそれぞれ透明電極が設けられた２枚のフィルム基板が設けられ、２枚のフィルム基板間にスペーサが介在されている。また、各フィルム基板の透明電極には、フレキシブル基板６２が電気的に接続されている。
【００３５】
フレキシブル基板６２は、図７及び図８に示すように、一端がフィルム基板の透明電極に電気的に接続され、他端がリアケース３０の取付部３４にリアケース３０を貫通するように形成された開口部３８を介して、装置本体２に内蔵された図示しないメイン基板と電気的に接続されている。更に、フレキシブル基板６２の一端側には、開口部３８に嵌合してフレキシブル基板６２と開口部３８との間隙を埋める防水ゴム３９が設けられている。防水ゴム３９は、開口部３８に押し込まれることにより、フレキシブル基板６２と開口部３８との間隙を埋め、装置本体２の内側に水が浸入することを防止している。
【００３６】
また、感圧式のタッチパネル６０は、これらのフィルム基板のうちガラス板６１とは反対側のフィルム基板上に、図９（Ａ）に示すように、特定方向に偏光した光だけに限って通過させ、外部からの外光反射を防止する偏光板６３が設けられている。偏光板６３は、図１０（Ａ）に示すように、色素又はヨウ素を含浸させたＰＶＡ（Poly Vinyl Alcohol：ポリビニールアルコール）を延伸させて形成した偏光子６３ａを、偏光子６３ａを保護するＴＡＣ（Tri Acetyl Cellulose：トリアセチルセルロース）フィルム６３ｂで狭持し、接着剤で接着させて一体化したものである。
【００３７】
更に、感圧式のタッチパネル６０は、図９（Ａ）に示すように、この偏光板６３上に、反射を防止するＡＲ（Anti Reflection：アンチリフレクション）フィルム６４が光学糊６５によって接着されている。ＡＲフィルム６４は、ＰＥＴ（Polyethylene Terephthalate：ポリエチレンテレフタレート）フィルムにＳｉＯ２やＴｉＯ２等の無機誘電体を多層コーティングして複数膜を形成し、この複数膜の干渉効果によって表面から入射した光の反射を低減させる。
【００３８】
以上のような感圧式のタッチパネル６０は、一方のフィルム基板が手指や専用のタッチペン等で押圧されると、当該一方のフィルム基板の透明電極が他方のフィルム基板の透明電極に接触し、押圧された座標を検出して操作信号を生成する。そして、感圧式のタッチパネル６０は、生成した操作信号を、フレキシブル基板６２を介して装置本体２に内蔵された図示しないメイン基板の制御部へ出力する。
【００３９】
（１−２）タッチパネルの取付方法の説明
次に、タッチパネル６０の取付方法について説明する。タッチパネル６０は、図７に示すように、化粧部材４０の裏面に配置され、化粧部材４０の窓部４０ｂよりタッチパネル６０の表示操作領域を外部に臨ませるように設けられている。そして、タッチパネル６０は、第１の接着剤６６によって、化粧部材４０の窓部４０ｂの周囲のフレーム部４０ａの裏面にタッチパネル６０の周囲が固定されている。タッチパネル６０は、フレーム部４０ａの裏面に接着されることで、化粧部材４０によって第１の接着剤６６が覆われ、第１の接着剤６６が外部に露出することが防止されている。
【００４０】
また、タッチパネル６０は、フレーム部４０ａの裏面に接着されるのに加え、第１の接着剤６６によって、タッチパネル６０の周囲が封止されている。具体的に、タッチパネル６０は、化粧部材４０とガラス板６１との間でタッチパネル６０の側面が露出している空間に第１の接着剤６６を塗布して、第１の接着剤６６でタッチパネル６０の側面を完全に覆うことで、タッチパネル６０の側面が封止されている。すなわち、タッチパネル６０は、化粧部材４０の裏面、ガラス板６１の側面、２枚のフィルム基板の側面、フレキシブル基板の一端、偏光板６３の側面、ＡＲフィルム６４の側面及び光学糊６５の側面が全て第１の接着剤６６によって封止されている。
【００４１】
したがって、タッチパネル６０は、例えば、リアケース３０と化粧部材４０との間隙からリアケース３０と化粧部材４０との間の空間部６７に水が浸入しても、タッチパネル６０に水が浸入することが防止されている。
【００４２】
更に、第１の接着剤６６によって側面が封止されたタッチパネル６０は、リアケース３０の表示パネル５０が取り付けられた第１の固定部３３の周囲の取付部３４に、第２の接着剤６８によって全周に亘って接着されている。このとき、タッチパネル６０のガラス板６１が、第２の接着剤６８によって取付部３４に接着されている。
【００４３】
したがって、表示パネル５０は、リアケース３０の主面部を構成する板金３０ａ、第１の固定部３３の周囲に設けられた取付部３４及びタッチパネル６０のガラス板６１とで形成される気密性が確保された空間部６９の内側に取り付けられていることになる。よって、表示パネル５０は、例えば、リアケース３０と化粧部材４０との間隙からリアケース３０と化粧部材４０との間の空間部６７に水が浸入しても、表示パネル５０が取り付けられた空間部６９に水が浸入することが防止されている。
【００４４】
（１−３）排水用凹溝の構成の説明
次に、リアケース３０の取付部３４に設けられた排水用凹溝７０の構成について説明する。リアケース３０の取付部３４には、図８に示すように、タッチパネルディスプレイ３の周囲であってリアケース３０の背面側に取り付けられる化粧部材４０に覆われる領域内に、全周に亘って排水用凹溝７０が形成されている。この排水用凹溝７０は、化粧部材４０に覆われることで、外部に露出されることが防止されている。そして、排水用凹溝７０は、リアケース３０と化粧部材４０との間に浸入した水を装置本体２の外部へ排出する。
【００４５】
排水用凹溝７０は、図１１及び図１２に示すように、リアケース３０の上面に設けられた再生ボタン１１を収納する再生ボタン収納凹部３６ａと第１の水抜き経路７１を介して連通されている。なお、図１１は、図４のＡ−Ａ断面を示した断面図であり、図１２は、図４のＢ−Ｂ断面を示した断面図である。第１の水抜き経路７１は、リアケース３０に再生ボタン収納凹部３６ａと排水用凹溝７０とを連通する貫通孔を形成することによって構成されている。また、第１の水抜き経路７１は、図４に示すように、再生ボタン収納凹部３６ａの両端に形成されている。
【００４６】
ここで、再生ボタン１１は、図１２に示すように、ボタン部材１１ａと、このボタン部材１１ａを装置本体２の外部側に付勢する付勢部材１１ｂと、装置本体２に内蔵され、ボタン部材１１ａが装置本体２の内部側へ押圧されたことを検知する検知手段が実装された基板１１ｃとを有する。ボタン部材１１ａは、通常時、付勢部材１１ｂにより再生ボタン収納凹部３６ａを閉塞する再生ボタン蓋部３６ｂに形成された再生ボタン露出窓３６ｃから外部に露出されている。そして、再生ボタン１１は、ボタン部材１１ａが付勢部材１１ｂに対抗して押圧されると、ボタン部材１１ａがリアケース３０の上面の貫通孔１１ｄから装置本体２の内部に突出して検知手段に当接することで、再生ボタン１１が押されたことが検知される。このとき、再生ボタン１１は、付勢部材１１ｂの一端がボタン部材１１ａに接着剤１１ｅにより接着され、他端が再生ボタン収納凹部３６ａの底面の接着剤１１ｆにより接着されることで、貫通孔１１ｄから装置本体２の内部へ水等が浸入することが防止され、貫通孔１１ｄの防水性が確保されている。このような再生ボタン１１を収納する再生ボタン収納凹部３６ａと連通された第１の水抜き経路７１は、図１１中の矢印Ｃに示すように、再生ボタン蓋部３６ｂと再生ボタン収納凹部３６ａとの間隙やボタン部材１１ａと再生ボタン露出窓３６ｃとの間隙から再生ボタン収納凹部３６ａに浸入した水を排水用凹溝７０に導く。
【００４７】
更に、排水用凹溝７０は、図１３及び図１４に示すように、リアケース３０の上面に設けられたスピーカ１２の音声を外部に放音する第１の放音口３７ａが形成されたスピーカ用凹部３７ｂと第２の水抜き経路７２を介して連通されている。なお、図１３は、図４のＣ−Ｃ断面を示した断面図であり、図１４は、図４のＤ−Ｄ断面を示した断面図である。第２の水抜き経路７２は、リアケース３０にスピーカ用凹部３７ｂと排水用凹溝７０とを連通する貫通孔を形成することによって構成されている。また、第２の水抜き経路７２は、図４に示すように、スピーカ用凹部３７ｂの一端に形成されている。
【００４８】
ここで、スピーカ１２は、例えば、ダイナミックスピーカであり、図１４に示すように、リアケース３０の上面の装置本体２の内面側に取り付けられている。スピーカ用凹部３７ｂには、第１の放音口３７ａを防水するための不透水性の防水シート３７ｃが第１の放音口３７ａを覆うように設けられている。また、スピーカ用凹部３７ｂには、防水シート３７ｃ上に、スピーカ用凹部３７ｂを閉塞し、第２の放音口３７ｄが形成されたスピーカ用蓋部３７ｅが接着剤３７ｆにより接着されている。第１の放音口３７ａは、不透過性の防水シート３７ｃで覆われることで、装置本体２の内部へ水等が浸入することが防止され、防水性が確保されている。このようなスピーカ用凹部３７ｂと連通された第２の水抜き経路７２は、図１３中の矢印Ｄに示すように、スピーカ用凹部３７ｂとスピーカ用蓋部３７ｅとの間隙からスピーカ用凹部３７ｂに浸入した水を排水用凹溝７０に導く。
【００４９】
また、排水用凹溝７０は、図２、図８及び図１５に示すように、リアケース３０の底面に設けられた電池開口部１３ａを開閉する電池蓋部１３ｂをリアケース３０の底面と面一となるように収納する開口収納凹部１３ｃと排水口７３を介して連通されている。なお、図１５は、図５のＥ−Ｅ断面を示した断面図である。更に、排水用凹溝７０は、図２、図８及び図１５に示すように、リアケース３０の底面に設けられた端子部を外部に露出させる端子開口部１４ａを開閉する端子蓋部１４ｂをリアケース３０の底面と面一となるように収納する第２の端子開口凹部１４ｃと排水口７３を介して連通されている。すなわち、排水口７３は、図１６に示すように、開口収納凹部１３ｃと第２の端子開口凹部１４ｃとの仕切り壁７３ａに形成され、排水用凹溝７０と、開口収納凹部１３ｃ及び第２の端子開口凹部１４ｃとをそれぞれ連通させている。
【００５０】
ここで、モールド部３０ｂの底面には、図２に示すように、一次電池又は二次電池を装置本体２の挿脱口となる電池開口部１３ａが形成されている。電池開口部１３ａは、電池蓋部１３ｂによって閉塞され、この電池蓋部１３ｂをリアケース３０の底面と面一にする開口収納凹部１３ｃに形成されている。また、電池蓋部１３ｂは、開口収納凹部１３ｃに回動可能に支持されている。更に、電池蓋部１３ｂは、突出した係合部１３ｅが形成され、この係合部１３ｅにゴムパッキン１３ｄが設けられ、係合部１３ｅを電池開口部１３ａにゴムパッキン１３ｄを介在させて係合させることで、電池開口部１３ａをシールしている。したがって、電池開口部１３ａは、電池蓋部１３ｂによって防水性が確保されている。
【００５１】
また、モールド部３０ｂの底面には、図２及び図１７に示すように、外部機器と電気的な接続を行う装置本体２に内蔵された端子部を外部に露出する端子開口部１４ａが形成されている。端子開口部１４ａは、端子蓋部１４ｂによって閉塞され、この端子蓋部１４ｂをリアケース３０の底面と面一にする第１の端子開口凹部１４ｄに形成されている。また、端子蓋部１４ｂは、第１の端子開口凹部１４ｄと仕切り壁１４ｅを隔てて隣接して設けられた第２の端子開口凹部１４ｃに回動可能に支持されている。更に、端子蓋部１４ｂは、突出した係合部１４ｇが形成され、この係合部１４ｇにゴムパッキン１４ｆが設けられ、係合部１４ｇを端子開口部１４ａにゴムパッキン１４ｆを介在させて係合させることで、端子開口部１４ａをシールしている。したがって、端子開口部１４ａは、端子蓋部１４ｂによって防水性が確保されている。
【００５２】
以上のような開口収納凹部１３ｃ及び第２の端子開口凹部１４ｃと連通されている排水口７３は、図８中の矢印Ｅに示すように、排水用凹溝７０に導かれて自重により下方に流れ落ちた水を開口収納凹部１３ｃ及び第２の端子開口凹部１４ｃに導く。排水口７３により開口収納凹部１３ｃ及び第２の端子開口凹部１４ｃに導かれた水は、図１５中の矢印Ｆに示すように、電池蓋部１３ｂと開口収納凹部１３ｃとの間隙や端子蓋部１４ｂと第１の端子開口凹部１４ｄとの間隙や端子蓋部１４ｂと第２の端子開口凹部１４ｃとの間隙から装置本体２の外部に排出される。
【００５３】
よって、ディジタルスチルカメラ１は、化粧部材４０とリアケース３０との間隙から水が浸入しても、排水用凹溝７０及び排水口７３を経て装置本体２の外部に水抜きを行うことができる。また、ディジタルスチルカメラ１は、再生ボタン蓋部３６ｂと再生ボタン収納凹部３６ａとの間隙やボタン部材１１ａと再生ボタン露出窓３６ｃとの間隙から再生ボタン収納凹部３６ａに水が浸入しても、第１の水抜き経路７１、排水用凹溝７０及び排水口７３を経て装置本体２の外部に水抜きを行うことができる。更に、ディジタルスチルカメラ１は、スピーカ用蓋部３７ｅとスピーカ用凹部３７ｂとの間隙からスピーカ用凹部３７ｂに水が浸入しても、第２の水抜き経路７２、排水用凹溝７０及び排水口７３を経て装置本体２の外部に水抜きを行うことができる。
【００５４】
なお、排水用凹溝７０は、開口収納凹部１３ｃとだけ排水口７３を介して連通されるようにしてもよい。また、排水用凹溝７０は、第２の端子開口凹部１４ｃとだけ排水口７３を介して連通されるようにしてもよい。更に、排水用凹溝７０は、開口収納凹部１３ｃと第１の排水口を介して連通され、第２の端子開口凹部１４ｃと第２の排水口を介して連通されるようにしてもよい。
【００５５】
（１−４）接地端子の構成の説明
次に、リアケース３０に設けられた接地端子８０について説明する。具体的に、リアケース３０の取付部３４には、図８及び図１８に示すように、化粧部材４０を装置本体２のグランドに接地させるための接地端子８０が設けられている。この接地端子８０は、例えば、導電性の導電ゴムからなる。このような接地端子８０は、一端がリアケース３０の主面部を構成する板金３０ａを介して装置本体２のグランドに接続されており、化粧部材４０をリアケース３０に取り付けたとき、他端が化粧部材４０に当接することによって、化粧部材４０は接地される。なお、接地端子８０は、導電性ゴムからなることに限定されるものではなく、合成樹脂からなり、この合成樹脂の表面に導電性の薄膜を形成するようなものでもよい。
【００５６】
（１−５）ストラップ取付孔の構成の説明
次に、リアケース３０に設けられたストラップ取付孔１６について説明する。フロントケース２０の左側面には、図６に示すように、ストラップ９０が挿通される第１の貫通孔９１が形成されている。また、リアケース３０には、フロントケース２０の第１の貫通孔９１に対向するストラップ９０が挿通される第２の貫通孔９２が形成されている突出片９３が設けられている。第２の貫通孔９２は、図１９に示すように、フロントケース２０及びリアケース３０を突き合わせた状態において第１の貫通孔９１と一致するように形成されている。すなわち、装置本体２には、フロントケース２０及びリアケース３０を突き合わせて第１の貫通孔９１及び第２の貫通孔９２を一致させることで、ストラップ取付孔１６が形成される。したがって、装置本体２は、フロントケース２０及びリアケース３０を突き合わせて第１の貫通孔９１及び第２の貫通孔９２を一致させた状態において、第１の貫通孔９１及び第２の貫通孔９２にストラップ９０を通すことによって、ストラップ９０がフロントケース２０側に引っ張られた場合に、リアケース３０も一緒にフロントケース２０側に引っ張られるので、フロントケース２０とリアケース３０との間に隙間が開かずに、防水状態を維持することができる。
【００５７】
＜２．本発明が適用されたディジタルスチルカメラの作用効果＞
【００５８】
本発明が適用されたディジタルスチルカメラ１は、感圧式のタッチパネル６０が、第１の接着剤６６によって化粧部材４０の裏面に固定されるとともに、化粧部材４０と感圧式のタッチパネル６０と偏光板６３とＡＲフィルム６４とが第１の接着剤６６により封止されている。したがって、本発明が適用されたディジタルスチルカメラ１によれば、感圧式のタッチパネル６０の端面を第１の接着剤６６で封止することで、従来のようにタッチパネルを防水するための別部品を設けることなく、水分によるマイグレーション等が発生することを防止することができ、ＡＲフィルム６４と偏光板６３との接着剥離、浸水による偏光板６３の偏光子６３ａの変形を回避することができる。よって、本発明が適用されたディジタルスチルカメラ１は、水中でも感圧式のタッチパネル６０を用いて、タッチパネル操作を行うことができ、水中撮影等を行うことができる。
【００５９】
更に、本発明が適用されたディジタルスチルカメラ１は、感圧式のタッチパネル６０が、第１の接着剤６６によって化粧部材４０の裏面に固定されている。したがって、本発明が適用されたディジタルスチルカメラ１によれば、タッチパネルディスプレイ３自体を使って、化粧部材４０の窓部４０ｂの防水を行うことができ、装置本体２を防水することができる。
【００６０】
更に、本発明が適用されたディジタルスチルカメラ１は、周囲が第１の接着剤６６で封止された感圧式のタッチパネル６０が、リアケース３０の表示パネル５０が取り付けられた周囲の取付部３４に第２の接着剤６８によって固定されている。したがって、本発明が適用されたディジタルスチルカメラ１によれば、表示パネル５０が、主面部３１を構成する板金３０ａ、第１の固定部３３の周囲に設けられた取付部３４及び感圧式のタッチパネル６０のガラス板６１とで形成される気密性の保たれた空間部６９の内側に取り付けられている。よって、本発明が適用されたディジタルスチルカメラ１によれば、リアケース３０と化粧部材４０との間隙からリアケース３０と化粧部材４０との間の空間部６７に水が浸入しても、表示パネル５０が取り付けられた空間部６９に水が浸入することが防止することができる。
【００６１】
本発明が適用されたディジタルスチルカメラ１は、感圧式のタッチパネル６０が、第１の接着剤６６によって、化粧部材４０の窓部４０ｂの周囲のフレーム部４０ａの裏面にタッチパネル６０の周囲が固定されている。したがって、本発明が適用されたディジタルスチルカメラ１は、タッチパネル６０が、フレーム部４０ａの裏面に接着されることで、化粧部材４０によって第１の接着剤６６が覆われ、第１の接着剤６６が外部に露出することを防止することができる。更に、化粧部材４０は、部材間の公差が、接着剤が塗布された状態で位置が決まるので、部品のバラツキに強い構造及び製品厚みに影響されない構造とすることができる。
【００６２】
更に、本発明が適用されたディジタルスチルカメラ１は、リアケース３０が、板金３０ａが合成樹脂でインサート成形されてなり、板金３０ａの周囲に設けられた取付部３４に感圧式のタッチパネル６０が第２の接着剤６８で固定され、板金３０ａに表示パネル５０が取り付けられている。したがって、本発明が適用されたディジタルスチルカメラ１は、リアケース３０の合成樹脂等で形成された取付部３４の平面度と外部からの負荷に対して剛性とを高め、取付部３４の平面度を保ち優れた防水性能を確保することができる。また、本発明が適用されたディジタルスチルカメラ１は、リアケース３０の剛性を高めることができ、外力による歪みに強く、取付部３４の平面度を高めるとともに取付部３４の平面度を維持することができ、優れた防水機能を確保することができる。
【００６３】
更に、本発明が適用されたディジタルスチルカメラ１は、リアケース３０の感圧式のタッチパネル６０の化粧部材４０で覆われる領域に排水用凹溝７０が形成され、排水用凹溝７０が、リアケース３０の上面の再生ボタン収納凹部３６ａとスピーカ用凹部３７ｂと連通され、リアケースの底面の排水口７３と連通されている。したがって、本発明が適用されたディジタルスチルカメラ１は、化粧部材４０とリアケース３０との間隙から浸入した水を、外観に影響を与えずに排水用凹溝７０で底面まで導き、排水口７３から外部に排水することができる。
【００６４】
更に、本発明が適用されたディジタルスチルカメラ１は、化粧部材４０が、金属部材で形成され、接地端子８０を介して、装置本体２のグランド経路に接続されている板金３０ａと電気的に接続されている。したがって、本発明が適用されたディジタルスチルカメラ１は、効率的に静電輻射を行うことができる。
【００６５】
更に、本発明が適用されたディジタルスチルカメラ１は、フロントケース２０及びリアケース３０を突き合わせて第１の貫通孔９１及び第２の貫通孔９２を一致させることで、ストラップ取付孔１６が形成されている。したがって、本発明が適用されたディジタルスチルカメラ１は、フロントケース２０及びリアケース３０を突き合わせてフロントケース２０の第１の貫通孔９１及びリアケース３０の第２の貫通孔９２を一致させた状態において、第１の貫通孔９１及び第２の貫通孔９２にストラップ９０を通すことによって、ストラップ９０がフロントケース２０側に引っ張られた場合に、リアケース３０も一緒にフロントケース２０側に引っ張られるので、フロントケース２０とリアケース３０との間に隙間が開かずに、防水状態を維持することができる。
【００６６】
＜３．本発明が適用されたディジタルスチルカメラの変形例＞
なお、本発明に係る撮像装置は、ディジタルスチルカメラ１に適用することに限定されるものではなく、感圧式のタッチパネルディスプレイ３を有するようなものであれば、他にビデオカメラ等のあらゆる撮像装置に適用することができる。
【符号の説明】
【００６７】
１  ディジタルスチルカメラ、２  装置本体、２ａ  前面部、２ｂ  上面部、２ｃ  背面部、２ｄ  左側面部、２ｅ  底面部、３  タッチパネルディスプレイ、４  レンズ部、５  発光部、６  撮像レンズ、７  レンズカバー、８  電源ボタン、９  撮影ボタン、１０  ズームレバー、１１  再生ボタン、１２  スピーカ、１３ａ  電池開口部、１３ｂ  電池蓋部、１３ｃ  開口収納凹部、１３ｄ  ゴムパッキン、１３ｅ  係合部、１４ａ  端子開口部、１４ｂ  端子蓋部、１４ｃ  第２の端子開口凹部、１４ｄ  第１の端子開口凹部、１４ｅ  仕切り壁、１４ｆ  ゴムパッキン、１４ｇ  係合部、１５  三脚取付部、１６  ストラップ取付孔、１７  ゴムパッキン、２０  フロントケース、２１  主面部、２２  側面部、３０  リアケース、３０ａ  板金、３０ｂ  モールド部、３３  第１の固定部、３４  取付部、３６ａ  再生ボタン収納凹部、３６ｂ  再生ボタン蓋部、３６ｃ  再生ボタン露出窓、３７ａ  第１の放音口、３７ｂ  スピーカ用凹部、３７ｃ  防水シート、３７ｄ  第２の放音口、３７ｅ  スピーカ用蓋部、３７ｆ  接着剤、３８  開口部、３９  防水ゴム、４０  化粧部材、４０ａ  フレーム部、４０ｂ  窓部、５０  表示パネル、６０  タッチパネル、６１  ガラス板、６２  フレキシブル基板、６３  偏光板、６３ａ  偏光子、６３ｂ  ＴＡＣフィルム、６４  ＡＲフィルム、６５  光学糊、６６  第１の接着剤、６７  空間部、６８  第２の接着剤、６９  空間部、７０  排水用凹溝、７１  第１の水抜き経路、７２  第２の水抜き経路、７３  排水口、７３ａ  仕切り壁、８０  接地端子、９０  ストラップ、９１  第１の貫通孔、９２  第１の貫通孔、９３  突出片
【図１】
2011171924.tif 000003
【図２】
2011171924.tif 000004
【図３】
2011171924.tif 000005
【図４】
2011171924.tif 000006
【図５】
2011171924.tif 000007
【図６】
2011171924.tif 000008
【図７】
2011171924.tif 000009
【図８】
2011171924.tif 000010
【図９】
2011171924.tif 000011
【図１０】
2011171924.tif 000012
【図１１】
2011171924.tif 000013
【図１２】
2011171924.tif 000014
【図１３】
2011171924.tif 000015
【図１４】
2011171924.tif 000016
【図１５】
2011171924.tif 000017
【図１６】
2011171924.tif 000018
【図１７】
2011171924.tif 000019
【図１８】
2011171924.tif 000020
【図１９】
2011171924.tif 000021